(57)【特許請求の範囲】
【請求項１】
床スラブを支持する梁の上方に設けられた手摺用支柱の支持構造であって、
前記梁の上面における屋外側縁部に沿って、手摺用支柱が固定されて当該手摺用支柱を支持する手摺支持部が設けられており、
前記手摺支持部は、前記手摺用支柱の下端部が固定されている手摺受フレームと、前記梁の上面に固定されているとともに上端部に前記手摺受フレームが固定された受部と、を備えており、
前記受部は、上下方向に立ち上がる立ち上がり板部と、前記立ち上がり板部の上端部に設けられて前記手摺受フレームが固定された上面板部と、を有しており、
前記床スラブにおける少なくとも屋外側縁部の厚みは、前記梁の上面から前記受部の前記上面板部の下面までの間隔と略等しく設定され、前記床スラブの屋外側縁部には、前記受部の前記立ち上がり板部が収まる切欠部が形成されており、
前記床スラブは、前記切欠部に前記立ち上がり板部が嵌まった状態となるようにして前記梁の上面に設けられており、
前記受部は複数であり、これら複数の受部は、前記梁の上面における屋外側縁部に沿って互いに間隔を空けて設けられており、
前記手摺受フレームは長尺に形成されて、前記複数の受部に架け渡されるようにして設けられており、
前記手摺用支柱は、前記手摺受フレームの上面のうち下方に前記受部が設けられた位置に対応して固定されており、
前記手摺受フレームは、前記受部の上面から上方に立ち上がるようにして設けられた側面壁部と、前記側面壁部の上端部から屋外側に突出して上面に前記手摺用支柱が固定された固定板部と、を有しており、
前記側面壁部のうち前記手摺用支柱の設置位置の近傍に作業用開口部が形成されていることを特徴とする手摺用支柱の支持構造。
【請求項２】
請求項１に記載の手摺用支柱の支持構造において、
前記梁および前記手摺支持部の屋外側には外壁材が設けられており、
前記床スラブの下面から前記梁の屋内側面および前記梁の下面を介して前記外壁材の裏面にかけて断熱材が設けられていることを特徴とする手摺用支柱の支持構造。
【発明の詳細な説明】
【技術分野】
【０００１】
本発明は、手摺用支柱の支持構造に関する。
【背景技術】
【０００２】
従来、バルコニーや集合住宅の外廊下等のコンクリート床に立設される手摺用支柱の支持構造として、例えば、手摺用支柱の下端部を埋設したり、コンクリート床から突出するアンカーボルトと結合させたりする技術が知られている（例えば、特許文献１参照）。
【先行技術文献】
【特許文献】
【０００３】
【特許文献１】特開２０１２−０６７５１４号公報
【発明の概要】
【発明が解決しようとする課題】
【０００４】
ところが、手摺用支柱自体をコンクリート床に直接立設させる場合は、手摺用支柱の支持強度を確保するために、例えばアンカーを埋設したり、グラウト材を充填したりするなど、手摺用支柱とコンクリート床との一体性を高めるための施工が手間であった。
そこで、例えば手摺用支柱を、コンクリート床を支持するＨ形鋼等からなる梁にボルト固定して、手摺用支柱の支持強度を確保することが考えられる。ところが、このような場合、手摺用支柱が設けられた箇所よりも屋外側に位置する梁の上面をコンクリート床で被覆できないため、耐火性や遮音性の面で不利となる場合がある。
【０００５】
本発明は上記事情に鑑みてなされたものであり、手摺用支柱の支持強度を容易に確保できるとともに、耐火性や遮音性の面でも有利な手摺用支柱の支持構造を提供することを目的とする。
【課題を解決するための手段】
【０００６】
請求項１に記載の発明は、例えば図１〜図１１に示すように、床スラブ５，６を支持する梁９の上方に設けられた手摺用支柱１１の支持構造であって、
前記梁９の上面における屋外側縁部に沿って、手摺用支柱１１が固定されて当該手摺用支柱１１を支持する手摺支持部２０が設けられており、
前記手摺支持部２０は、前記手摺用支柱１１の下端部が固定されている手摺受フレーム２１と、前記梁９の上面に固定されているとともに上端部に前記手摺受フレーム２１が固定された受部２５と、を備えており、
前記受部２５は、上下方向に立ち上がる立ち上がり板部２５ａと、前記立ち上がり板部２５ａの上端部に設けられて前記手摺受フレーム２１が固定された上面板部２５ｂと、を有しており、
前記床スラブ５，６における少なくとも屋外側縁部の厚みは、前記梁９の上面から前記受部２５の前記上面板部２５ｂの下面までの間隔と略等しく設定され、前記床スラブ５，６の屋外側縁部には、前記受部２５の前記立ち上がり板部２５ａが収まる切欠部６ａが形成されており、
前記床スラブ５，６は、前記切欠部６ａに前記立ち上がり板部２５ａが嵌まった状態となるようにして前記梁９の上面に設けられており、
前記受部２５は複数であり、これら複数の受部２５は、前記梁９の上面における屋外側縁部に沿って互いに間隔を空けて設けられており、
前記手摺受フレーム２１は長尺に形成されて、前記複数の受部２５に架け渡されるようにして設けられており、
前記手摺用支柱１１は、前記手摺受フレーム２１の上面のうち下方に前記受部２５が設けられた位置に対応して固定されており、
前記手摺受フレーム２１は、前記受部２５の上面から上方に立ち上がるようにして設けられた側面壁部２１ａと、前記側面壁部２１ａの上端部から屋外側に突出して上面に前記手摺用支柱１１が固定された固定板部２１ｂと、を有しており、
前記側面壁部２１ａのうち前記手摺用支柱１１の設置位置の近傍に作業用開口部２１ｅが形成されていることを特徴とする。
【０００７】
請求項１に記載の発明によれば、手摺用支柱１１が、床スラブ５，６に対して設けられずに、手摺支持部２０を介して梁９に設けられた状態となるので、床スラブ５，６に対して手摺用支柱１１との一体性を高めるための施工を行うことなく、手摺用支柱１１の支持強度を容易に確保できる。
さらに、受部２５は、立ち上がり板部２５ａの上端部に設けられて手摺受フレーム２１が固定された上面板部２５ｂを有するので、手摺用支柱１１の設置位置を、梁９の上面よりも上方の位置とすることができる。
そして、床スラブ５，６における少なくとも屋外側縁部の厚みは、梁９の上面から受部２５の上面板部２５ｂの下面までの間隔と略等しく設定され、床スラブ５，６の屋外側縁部には、受部２５の立ち上がり板部２５ａが収まる切欠部６ａが形成されており、床スラブ５，６は、切欠部６ａに立ち上がり板部２５ａが嵌まった状態となるようにして梁９の上面に設けられているので、床スラブ５，６によって、梁９の上面における屋外側縁部まで被覆することができる。すなわち、手摺用支柱１１が設けられた箇所よりも屋外側に位置する梁９の上面を床スラブ５，６で被覆することができるので、耐火性や遮音性を向上させることができる。
【０００９】
また、手摺受フレーム２１は長尺に形成されて、複数の受部２５に架け渡されるようにして設けられているので、梁９の上面に点在する複数の受部２５を手摺受フレーム２１で繋いで枠状（または門型）に組んだような状態となる。これによって、手摺支持部２０を梁９に対して安定的に設置することができるので、ひいては、手摺用支柱１１の支持強度を高めることができる。
【００１１】
また、手摺用支柱１１は、手摺受フレーム２１の上面のうち下方に受部２５が設けられた位置に対応して固定されているので、例えば受部２５が設けられた位置に対応していない場合に比して、手摺受フレーム２１の撓みを抑えられるので、手摺用支柱１１を安定的に支持できる。
【００１３】
また、手摺受フレーム２１の側面壁部２１ａのうち手摺用支柱１１の設置位置の近傍に作業用開口部２１ｅが形成されているので、手摺受フレーム２１の固定板部２１ｂに手摺用支柱１１を固定する場合に、作業用開口部２１ｅから作業を行うことができ、施工性を向上できる。また、手摺受フレーム２１の固定板部２１ｂに手摺用支柱１１を固定する場合だけでなく、手摺受フレーム２１よりも屋外側で行われる何らかの作業が必要となった場合にも作業用開口部２１ｅを利用できるので、施工性をより向上できる。
【００１４】
請求項２に記載の発明は、例えば図２，図３に示すように、請求項１に記載の手摺用支柱１１の支持構造において、
前記梁９および前記手摺支持部２０の屋外側には外壁材１４が設けられており、
前記床スラブ５，６の下面から前記梁９の屋内側面および前記梁９の下面を介して前記外壁材１４の裏面にかけて断熱材１７が設けられていることを特徴とする。
【００１５】
請求項２に記載の発明によれば、梁９および手摺支持部２０の屋外側には外壁材１４が設けられており、床スラブ５，６の下面から梁９の屋内側面および梁９の下面を介して外壁材１４の裏面にかけて断熱材１７が設けられているので、梁９を、床スラブ５，６と外壁材１４と断熱材１７によって囲むことができる。そのため、耐火性を向上させることができる。
【発明の効果】
【００１６】
本発明によれば、手摺用支柱の支持強度を容易に確保できるとともに、耐火性や遮音性を向上させることができる。
【図面の簡単な説明】
【００１７】
【図１】バルコニーのある建物を示す斜視図である。
【図２】建物における第二層と第三層のバルコニー付近を示す断面図である。
【図３】第三層のバルコニーを示す断面図である。
【図４】梁付近の構造を示す斜視図である
【図５】第三層のバルコニーにおける受部の配置を示す平面図である。
【図６】第三層のバルコニーにおける手摺受フレームの配置を示す平面図である。
【図７】第三層のバルコニーに用いられる受部を示す正面図である。
【図８】第二層のバルコニーに用いられる受部を示す正面図である。
【図９】手摺受フレームを示す側断面図である
【図１０】手摺受フレームを示し、（ａ）は平面図、（ｂ）は背面図、（ｃ）は底面図である。
【図１１】外壁材の取付態様を示す平面図である。
【発明を実施するための形態】
【００１８】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００１９】
図１において符号１は、建物を示す。この建物１は、地上五層構造の戸建住宅であり、第二層、第三層、第四層に、建物１の一方の側面と直交する他方の側面とに亘って略Ｌ型に形成されたバルコニー２，３，４が設けられている。また、各層には部屋がある。
なお、本実施形態において建物１は、地上五層構造の戸建住宅としたが、これに限られるものではなく、いわゆるマンションやアパート等の複数階建て集合住宅でもよい。また、本実施形態においては、バルコニー２，３，４を例に挙げて説明するが、戸建住宅や集合住宅における外廊下等にも適用することができる。
【００２０】
図２は、建物１のうち、特に第二層と第三層のバルコニー２，３付近を示す断面図である。バルコニー２，３の床と部屋の床には、同一または連続する床スラブ５，６が用いられている。
また、床スラブ５，６は、建物１の躯体を構成する梁９の上面に設けられて、この梁９によって支持されている。
さらに、床スラブ５，６のうち、バルコニー２，３と部屋との境界に当たる位置に外壁７，８が設けられている。この外壁７，８には、部屋とバルコニー２，３との間を往来するための掃き出し窓が形成されている。
なお、本実施形態の床スラブ５，６は、ＡＬＣ（autoclaved lightweight concrete）パネルによって構成されている。ただし、ＡＬＣパネルに限られず、耐火性能に優れたものであれば適宜採用してもよいものとする。
【００２１】
バルコニー２，３の床面は、床スラブ５，６の上に設けられたバルコニー用スラブ２ａ，３ａと、バルコニー用スラブ２ａ，３ａに設置された床面材２ｂ，３ｂ等によって構成されている。
バルコニー２，３の屋外側縁部には、床面材２ｂ，３ｂよりも上方に立ち上がったパラペット２ｃ，３ｃが設けられ、パラペット２ｃ，３ｃの上端部に手摺壁１０が設けられている。
【００２２】
手摺壁１０は、パラペット２ｃ，３ｃの上端部から上方に突出して設けられる複数の手摺用支柱１１と、これら複数の手摺用支柱１１間に架け渡されて保持される手摺面材１２と、を有する。
手摺用支柱１１は、ベースプレート１１ａと、ベースプレート１１ａから上方に突出して設けられる支柱アンカー１１ｂと、支柱アンカー１１ｂに被せられる筒状の支柱本体１１ｃと、を有する。
手摺面材１２は、ガラス面材が採用されており、支柱本体１１ｃの上端部に設けられた笠木一体型の上枠１２ａと、支柱本体１１ｃの下端部に設けられた下枠１２ｂとの間に設けられて保持されている。
また、手摺用支柱１１よりも屋外側の箇所には、バルコニー２，３の目隠しとなる格子壁１３が設けられている。
【００２３】
図３は、第三層のバルコニー３を示す断面図である。バルコニー２，３の詳細な構造については、この第三層のバルコニー３を例に挙げて説明する。
バルコニー３の床スラブ６の下方には梁９があり、この梁９によって床スラブ６が支持されている。
梁９としては例えばＨ形鋼が採用されており、ある程度の厚み（ウェブの上下寸法およびフランジの厚さ寸法）がある。第二層におけるバルコニー２の軒天裏（軒天材と床スラブ６との間）および第二層における部屋の天井裏（天井材と床スラブ６との間）は、梁９の厚みよりも上下に深い空間となっている。
このような軒天裏空間とパラペット３ｃの屋外側には、内部を遮蔽するとともに耐火性能を確保するための外壁材１４が設けられている。すなわち、梁９および手摺支持部２０の屋外側に外壁材１４が設けられた状態となっている。
【００２４】
梁９の上面における屋外側縁部には、図３〜図６に示すように、この屋外側縁部に沿って、手摺支持部２０が設けられている。
手摺支持部２０は、手摺用支柱１１が固定されて当該手摺用支柱１１を支持する金属製のものであり、手摺用支柱１１の下端部が固定される手摺受フレーム２１と、梁９の上面に固定されているとともに上端部に手摺受フレーム２１が固定された受部２５と、を備える。つまり、手摺用支柱１１は、この手摺支持部２０を介して梁９の上方に設けられた状態となっている。
受部２５は、手摺受フレーム２１と組み合わせて用いられる場合に、この手摺受フレーム２１に対して複数使用されるものである。これら複数の受部２５は、梁９の上面における屋外側縁部に沿って互いに間隔を空けて設けられている。
一方、手摺受フレーム２１は長尺に形成されており、複数の受部２５に架け渡されるようにして設けられている。なお、手摺受フレーム２１自体も、バルコニー２，３の幅（梁９の長さ方向）に対応して複数使用されるものであり、本実施形態においても複数の手摺受フレーム２１が用いられている。また、その長さも適宜変更可能であり、予め複数種類の長さの手摺受フレーム２１が用意されていることが望ましい。
以上のような構造について、より詳細に説明すると、長尺な梁９の上面における屋外側縁部に沿って、複数の受部２５が互いに間隔を空けて点在するようにして設けられ、その上に、長尺部材である手摺受フレーム２１が架け渡されて設けられている。そのため、梁９の上面と、隣り合う受部２５同士と、手摺受フレーム２１とで囲まれて形成された開口部２０ａが、バルコニー３の床下に設けられたような状態となっている。
【００２５】
受部２５は、上下方向に立ち上がる立ち上がり板部２５ａと、立ち上がり板部２５ａの上端部に設けられて手摺受フレーム２１が固定された上面板部２５ｂと、を有する。
すなわち、受部２５は、図７に示すように略Ｔ字型に形成されている。立ち上がり板部２５ａと上面板部２５ｂは溶接されて接合されている。
また、受部２５自体も、梁９の上面に対して溶接されて接合されているものとする。つまり、立ち上がり板部２５ａの下端部が、梁９の上面に溶接されている。
さらに、立ち上がり板部２５ａは、その向きが、図４に示すように、梁９の長さ方向と直交する方向となるように設けられている。すなわち、梁９の長さ方向に沿う側面を正面視した場合（図４の左斜め下から右斜め上に向かって視線が向けられた場合）に、受部２５がＴ型に見える状態となるように設けられている。
また、このように受部２５が略Ｔ字型であるため、梁９の上面と、隣り合う受部２５同士と、手摺受フレーム２１とで囲まれて形成された開口部２０ａは略凸字状に形成された状態となる。
【００２６】
また、複数の受部２５の間隔は、バルコニー３の幅に応じて異なる。すなわち、バルコニー３の幅に応じて手摺受フレーム２１の長さも異なるためである。
本実施形態では、図５，図６に示すようにＸ方向に沿って５つの受部２５が設けられており、これら５つの受部２５の上に２本の手摺受フレーム２１が架け渡されて設けられている。また、Ｙ方向に沿って７つの受部２５が設けられており、これら７つの受部２５の上に３本の手摺受フレーム２１が架け渡されて設けられている。
さらに、受部２５は、梁９の上面における屋外側縁部よりも若干屋外側に突出して配置されている。
【００２７】
なお、図２に示すように、第二層のバルコニー２に用いられた床スラブ５と、第三層のバルコニー３に用いられた床スラブ６は厚みが異なる。すなわち、第二層のバルコニー２に用いられた床スラブ５の方が厚み寸法のある状態となっている。  
そのため、第二層のバルコニー２に用いられる受部２５には、図８に示すように、嵩上げと安定性確保のためのベース板部２５ｃが備えられている。
【００２８】
手摺受フレーム２１は、図３，図９に示すように、側断面視において略逆Ｌ字型に形成されており、側面壁部２１ａと、固定板部２１ｂと、底板部２１ｃと、下垂壁部２１ｄと、を有する。
側面壁部２１ａは、受部２５の上面から上方に立ち上がるようにして設けられている。なお、この側面壁部２１ａには、バルコニー用スラブ３ａの上面に貼り付けられる防水シート２６を延長して貼り付けるための下地板２７が取り付けられている。
固定板部２１ｂは、側面壁部２１ａの上端部から屋外側に突出して上面に手摺用支柱１１が固定されている。
底板部２１ｃは、受部２５の上面に固定されており、屋内側端部に側面壁部２１ａが一体形成されている。
下垂壁部２１ｄは、固定板部２１ｂの屋外側端部から下向きに伸びるようにして形成されており、屋外側の面に、外壁材１４の裏面が接した状態となっている。
【００２９】
本実施形態の手摺受フレーム２１は、第一部材２２と、第二部材２３と、第三部材２４と、が接合されて形成されている。
第一部材２２は、断面コ字型（断面Ｃ型）に形成された溝形鋼であり、手摺受フレーム２１における側面壁部２１ａと、固定板部２１ｂの半分と、底板部２１ｃと、を構成している。
第二部材２３は、断面Ｌ型に形成されたアングル材であり、手摺受フレーム２１における固定板部２１ｂの残り半分と、下垂壁部２１ｄと、を構成している。
第三部材２４は、第一部材２２と第二部材２３の内側面に沿って設けられた補剛材（スチフナ）であり、図１０に示すように、手摺受フレーム２１の長さ方向両端部と中央部とに設けられている。
つまり、手摺受フレーム２１は、溝形鋼である第一部材２２の上面板と、アングル材である第二部材２３の上面板と、が組み合わされて固定板部２１ｂを構成しており、強度が必要な箇所に第三部材２４が複数設けられた状態となっている。
【００３０】
手摺受フレーム２１について、より詳細に説明すると、第三部材２４が設けられる位置は、手摺用支柱１１の設置位置に対応しており、手摺用支柱１１の設置安定化に寄与している。
また、固定板部２１ｂのうち手摺用支柱１１の設置位置に当たる位置には、図１０（ａ）に示すように、手摺用支柱１１のベースプレート１１ａを留め付けるボルトが通されるボルト孔が複数形成されている。また、この位置には、図５，図６に示すように、手摺受フレーム２１の下方に位置する受部２５が設けられている。換言すれば、手摺用支柱１１は、手摺受フレーム２１の上面のうち下方に受部２５が設けられた位置に対応して固定されている。
さらに、図１０（ｂ）に示すように、側面壁部２１ａのうち手摺用支柱１１の設置位置の近傍に作業用開口部２１ｅが形成されている。この作業用開口部２１ｅは、手摺用支柱１１の設置位置に対応して設けられるものではあるが、全ての手摺用支柱１１の設置位置に対応している必要はなく、例えば近くに他の構造体があるなど特に施工しにくい箇所に形成されていることが好ましい。なお、この作業用開口部２１ｅは、手摺用支柱１１の設置作業にも利用できるし、外壁材１４の取付作業にも利用することができる。
【００３１】
また、手摺受フレーム２１は、受部２５の屋外側端部に位置している。すなわち、手摺受フレーム２１における底板部２１ｃが、受部２５における上面板部２５ｂの上面屋外側に溶接されて接合されている。そのため、手摺受フレーム２１における第二部材２３は、受部２５の屋外側端部よりも屋外側に突出した状態となっている。
そして、このように突出した第二部材２３によって構成された下垂壁部２１ｄに接して外壁材１４が設けられているので、外壁材１４は、梁９および受部２５から離間して配置されている。そのため、外壁材１４の裏面側には隙間１５が形成されている。
【００３２】
隙間１５には、図１１に示すように、外壁材１４を支持するための支持材１６が設けられている。支持材１６はアングル材であり、一方の第一板部１６ａが建物１の躯体（梁９でもよい）側に固定されており、他方の第二板部１６ｂが外壁材１４の裏面に添って設けられている。
一方、外壁材１４は、支持材１６における第二板部１６ｂを挟持する挟持部１４ａを備える。この挟持部１４ａは角度の緩い略Ｓ型に形成されており、外壁材１４の裏面に接する板状の第一部位１４ｂと、支持材１６における第二板部１６ｂを挟み込む板状の第二部位１４ｃと、これら第一部位１４ｂと第二部位１４ｃとを繋ぐ板状の第三部位１４ｄと、を有する。
この挟持部１４ａは、第一部位１４ｂがボルト１４ｅによって外壁材１４の裏面に留め付けられることによって固定されている。そして、ボルト１４ｅの締め付け強度を高めれば、支持材１６における第二板部１６ｂを強固に挟持することができる。
以上のような挟持構造が、外壁材１４の裏面の複数箇所に採用されており、これによって、外壁材１４は建物１の躯体に取り付けられている。
なお、本実施形態の挟持構造は、支持材１６を縦向き（上下方向に長尺な状態）に配置し、挟持部１４ａによって横から支持材１６の第二板部１６ｂを挟み込んだものとしたが、これに限られるものではなく、支持材１６を横向きに配置して、挟持部１４ａによって上または下から支持材１６の第二板部１６ｂを挟み込むようにしてもよい。さらに、支持材１６に代えて、手摺受フレーム２１の下垂壁部２１ｄを挟持部１４ａによって挟み込んで外壁材１４を支持させる構造を採用してもよい。
【００３３】
続いて、床スラブ６の設置について説明する。
床スラブ６は、上述のように梁９の上面に設けられて、この梁９によって支持されているが、梁９の上面には受部２５が複数設けられている。そのため、図３，図４に示すように、床スラブ６における少なくとも屋外側縁部の厚みは、梁９の上面から受部２５の上面板部２５ｂの下面までの間隔と略等しく設定され、さらに、床スラブ６の屋外側縁部には、受部２５の立ち上がり板部２５ａが収まる切欠部６ａが形成されている。
切欠部６ａは、複数の受部２５に対応して、梁９の屋外側縁部に複数形成されている。
また、この切欠部６ａは、床スラブ６の屋外側縁部における幅方向の端部に形成される場合もある。すなわち、必ずしも、床スラブ６の屋外側縁部における中央側（中ほど）に形成されるものではなく、複数の受部２５の間隔と床スラブ６自体の幅寸法との兼ね合いで、床スラブ６の屋外側縁部における幅方向の端部に切欠部６ａが形成される場合がある。
また、床スラブ６における少なくとも屋外側縁部の厚みが、梁９の上面から受部２５の上面板部２５ｂの下面までの間隔と略等しく設定されていればよく、梁９の上面と受部２５の上面板部２５ｂの下面との間に設けられる部分以外は、より厚みが増した状態であってもよい（例えば上面板部２５ｂの厚み分）。
そして、床スラブ６は、切欠部６ａに立ち上がり板部２５ａが嵌まった状態となるようにして梁９の上面に設けられている。
なお、上述のように、第二層のバルコニー２に用いられる受部２５にはベース板部２５ｃが備えられているため、第二層の床スラブ５に形成される切欠部（図示せず）は、ベース板部２５ｃに対応して略逆Ｔ型に切り欠かれて形成されている。
【００３４】
施工手順として、少なくとも受部２５は、床スラブ６の施工前に予め梁９の上面に取り付けられている。そのため、床スラブ６は、梁９の上面と受部２５の上面板部２５ｂとの間の隙間に差し込まれるようにして施工される。
また、床スラブ６の施工前に手摺受フレーム２１も取り付けられていれば、床スラブ６は、開口部２０ａに差し込まれるようにして施工される。
【００３５】
以上のように床スラブ６が施工されることで、梁９の上面を耐火性能に優れたＡＬＣパネルで被覆することができる。また、外壁材１４も耐火性能に優れたものであり、梁９の屋外側を被覆した状態となっている。さらに、床スラブ６の下面から梁９の屋内側面および梁９の下面を介して外壁材１４の裏面にかけて断熱材１７（耐火被覆材）が設けられている。そのため、梁９を、床スラブ６と外壁材１４と断熱材１７によって囲むことができる。
第二層の梁９も同様に、床スラブ６と外壁材１４と断熱材１７によって囲まれている。
なお、断熱材１７としては、例えばロックウール等の耐火・耐熱素材を使った巻き付け耐火被覆材や、ケイ酸カルシウム板を主成分とする板状の耐火被覆材等が好適に使用される。その他にも吹き付けタイプの耐火被覆材が知られているが、本実施の形態においては、現場加工や粉塵対策の有無に基づく総合的な施工性を考慮し、巻き付け耐火被覆材が採用されている。
【００３６】
なお、梁９の上面と、隣り合う受部２５同士と、手摺受フレーム２１とで囲まれて形成された開口部２０ａは略凸字状に形成されているため、床スラブ６が梁９の上面に設けられた状態において、床スラブ６の屋外側縁部と、手摺受フレーム２１の下面との間には、受部２５における上面板部２５ｂの厚み分の隙間が生じることになる。この隙間には、断熱材を充填してもよいものとする。
【００３７】
本実施形態では、上述のように第三層のバルコニー３を例に挙げて説明したが、以上のような手摺用支柱１１の支持構造は、第二層のバルコニー２にも、第四層のバルコニー４にも適用できるのは勿論のこと、戸建住宅や集合住宅における外廊下等にも適用できる。
【００３８】
本実施の形態によれば、受部２５は、立ち上がり板部２５ａの上端部に設けられて手摺受フレーム２１が固定された上面板部２５ｂを有するので、手摺用支柱１１の設置位置を、梁９の上面よりも上方の位置とすることができる。さらに、手摺用支柱１１が、床スラブ５，６に対して設けられずに、手摺支持部２０を介して梁９に設けられた状態となるので、床スラブ５，６に対して手摺用支柱１１との一体性を高めるための施工を行うことなく、手摺用支柱１１の支持強度を容易に確保できる。
そして、床スラブ５，６における少なくとも屋外側縁部の厚みは、梁９の上面から受部２５の上面板部２５ｂの下面までの間隔と略等しく設定され、床スラブ５，６の屋外側縁部には、受部２５の立ち上がり板部２５ａが収まる切欠部６ａが形成されており、床スラブ５，６は、切欠部６ａに立ち上がり板部２５ａが嵌まった状態となるようにして梁９の上面に設けられているので、床スラブ５，６によって、梁９の上面における屋外側縁部まで被覆することができる。すなわち、手摺用支柱１１が設けられた箇所よりも屋外側に位置する梁９の上面を床スラブ５，６で被覆することができるので、耐火性や遮音性を向上させることができる。
【００３９】
また、手摺受フレーム２１は長尺に形成されて、複数の受部２５に架け渡されるようにして設けられているので、梁９の上面に点在する複数の受部２５を手摺受フレーム２１で繋いで枠状（または門型）に組んだような状態となる。これによって、手摺支持部２０を梁９に対して安定的に設置することができるので、ひいては、手摺用支柱１１の支持強度を高めることができる。
【００４０】
また、手摺用支柱１１は、手摺受フレーム２１の上面のうち下方に受部２５が設けられた位置に対応して固定されているので、例えば受部２５が設けられた位置に対応していない場合に比して、手摺受フレーム２１の撓みを抑えられるので、手摺用支柱１１を安定的に支持できる。
【００４１】
また、手摺受フレーム２１の側面壁部２１ａのうち手摺用支柱１１の設置位置の近傍に作業用開口部２１ｅが形成されているので、手摺受フレーム２１の固定板部２１ｂに手摺用支柱１１を固定する場合に、作業用開口部２１ｅから作業を行うことができ、施工性を向上できる。また、手摺受フレーム２１の固定板部２１ｂに手摺用支柱１１を固定する場合だけでなく、手摺受フレーム２１よりも屋外側で行われる何らかの作業が必要となった場合にも作業用開口部２１ｅを利用できるので、施工性をより向上できる。
【００４２】
また、梁９および手摺支持部２０の屋外側には外壁材１４が設けられており、床スラブ５，６の下面から梁９の屋内側面および梁９の下面を介して外壁材１４の裏面にかけて断熱材１７が設けられているので、梁９を、床スラブ５，６と外壁材１４と断熱材１７によって囲むことができる。そのため、耐火性を向上させることができる。
【符号の説明】
【００４３】
１  建物
２  バルコニー（第二層）
３  バルコニー（第三層）
４  バルコニー（第四層）
５  床スラブ（第二層）
６  床スラブ（第三層）
６ａ  切欠部
９  梁
１０  手摺壁
１１  手摺用支柱
１４  外壁材
１７  断熱材
２０  手摺支持部
２１  手摺受フレーム
２５  受部
２５ａ  立ち上がり板部
２５ｂ  上面板部
【図１】
0006672035.tif 000002
【図２】
0006672035.tif 000003
【図３】
0006672035.tif 000004
【図４】
0006672035.tif 000005
【図５】
0006672035.tif 000006
【図６】
0006672035.tif 000007
【図７】
0006672035.tif 000008
【図８】
0006672035.tif 000009
【図９】
0006672035.tif 000010
【図１０】
0006672035.tif 000011
【図１１】
0006672035.tif 000012